(57)【特許請求の範囲】
【請求項１】
紙葉類，帳票類などの媒体を搬送する搬送ローラと、この搬送ローラへと前記媒体を導く搬送路とを有する搬送機構において、前記媒体の位置が不正確にセットされる際、前記媒体のセットを正確に補正して搬送を行うために、前記搬送路の内部で前記媒体のスキュー補正を行うスキュー補正機構であって、
前記搬送路の内部に設けられ、前記搬送ローラの回転軸と平行に設けられた回転軸と、円形断面の一部を切り欠いた切断面とを有し、前記搬送路の側面に設けられた側面ガイドと媒体を停止させる基準となるストッパとの交点方向にネジの方向性を持たせたネジローラとを備え、
前記媒体の搬送時には、前記媒体の自重により前記媒体を前記ネジローラに接触させ、前記ネジローラを回転させて前記媒体が前記搬送ローラにクランプされるまで搬送を行いながら前記スキューの補正を行い、
前記媒体の排出時には、前記ネジローラが前記搬送路上に突出しないように前記ネジローラの前記切断面と前記搬送路とが同一面となる位置に前記ネジローラを停止させて前記媒体を排出することを特徴とするスキュー補正機構。
【発明の詳細な説明】
【０００１】
【発明の属する技術分野】
本発明は、紙葉類，帳票類の搬送を必要とする装置に関し、特に、オペレータや給紙機構が正確に媒体をセットしなくてもスキューの補正を行い、装置の機能の向上およびオペレータの作業性を向上させたスキュー補正機構に関する。
【０００２】
【従来の技術】
従来の媒体搬送スキュー機構では、スキューの補正を行う手段として媒体を搬送方向に対して約４５度方向に搬送するために、搬送方向のローラを配置し、スキュー補正ローラを搬送ローラと異なる角度に配置する必要があった。
【０００３】
この従来例として、特開平８−２１５２０１号公報に記載の媒体スキュー補正機構がある。この公報の図５に示すように、側面ガイド方向に媒体を搬送する手段として、搬送路に対し斜め方向にローラを配置する技術が記載されている。
【０００４】
【発明が解決しようとする課題】
上述した従来例のスキュー補正機構では、スキューをした媒体の資材を正しい方向に修正する手段として、搬送路内に搬送方向と異なる方向にスキュー補正ローラを配置することが必要となるという問題があった。
【０００５】
また、このローラを回転させてスキューの補正を行うことから、ローラに駆動力を伝達するために、搬送ローラの回転軸と異なる方向の回転軸に駆動力を伝達するために複数の部品が必要となるという問題があった。
【０００６】
そこで、本発明の目的は、上記問題を解消すべく、紙葉類，帳票類を搬送する装置において、媒体を正確にセットしなくてもスキューの補正を行うことができ、装置の機能性，操作性を向上させたスキュー補正機構を提供することにある。
【０００７】
【課題を解決するための手段】
上記問題を解決するために、本発明のスキュー補正機構は、搬送路の内部に設けられたネジローラを備え、媒体の自重により媒体をネジローラに接触させ搬送することにより、媒体の搬送を行いながらスキューの補正を行うことができることを特徴とする。
【０００８】
また、ネジローラの回転軸が、搬送ローラの回転軸と平行であるのが好ましい。
【０００９】
さらに、ネジローラが、その断面形状の一部を搬送面に対し飛び出さない形状にすることにより、スキュー補正の動作と同じ回転動作で搬送路より退避することができるのが好ましい。
【００１０】
またさらに、ネジローラの断面形状が、円形の一部を切り欠いた形状であるのが好ましい。
【００１１】
また、媒体を正確な位置で停止させるストッパを備えるのが好ましい。
【００１２】
さらに、ネジローラが、ネジの方向性を持たせたゴム製のネジローラであることのが好ましい。
【００１３】
またさらに、媒体の正確な位置の近傍に、媒体が通過することにより感知するセンサを備えるのが好ましい。
【００１４】
本発明のネジローラによるスキュー補正機構では、特に、搬送路内にスキュー補正のためのネジローラを配置することで搬送ローラと平行にネジローラの回転軸を配置することができ、これにより、駆動力の伝達を簡素化することができ、駆動伝達を行う機構部の部品点数の削減を行うことができる。
【００１５】
また、このネジローラの一部を搬送面より突出しない形状にすることで媒体のセット性の向上が可能になり、排出時に媒体が引っかかることを防止するためにネジローラを退避させる。すなわち、排出時の媒体の搬送を妨げないようにネジローラを退避させるため、特別な機構部を必要としない。
【００１６】
さらに、媒体のセットが正確に行われない場合に、スキューをした媒体を搬送しながら正確なセットに自動で修正することができる。
【００１７】
以上説明したように、ネジローラを採用し媒体のスキューの補正を行うことで、機構が簡素化でき、信頼性の向上と共にコストの削減が可能である。
【００１８】
【発明の実施の形態】
次に、本発明の実施例について、図面を参照して詳細に説明する。
【００１９】
図１は、本発明のネジローラによるスキュー補正機構の実施例の構成を示す上面図である。このスキュー補正機構は、搬送ローラ７と、媒体６を搬送するときのガイドとなる搬送ガイド８と、搬送ガイド８の側面に設けられた側面ガイド３と、媒体を停止させる基準となるストッパ４と、センサ５と、ネジローラ１とを備える。ネジローラ１は、側面ガイド３とストッパ４との交点方向にネジの方向性を持たせたゴム製のネジローラであり、搬送路内に配置される。このネジローラ１を回転することにより、スキューした媒体６を側面ガイド３，ストッパ４の方向に搬送させる。センサ５は、媒体６の位置が正確にセットされたこと認識するために配置され、媒体６がセンサ５が通過するとセンサ５が遮光するようにする。
【００２０】
図２，図３は、本発明のネジローラによるスキュー補正機構の実施例の動作を示す側面図である。図２，図３に示すように、ネジローラ１は、ほぼ円形の断面の一部を切り欠いた切断面１ａを有し、切断面１ａが、搬送ガイド８の反対側にある状態が図２で、切断面１ａが、搬送ガイド８の側にある状態が図３である。
【００２１】
まず、図２に示すように、本実施例では、ストッパー４を搬送路内から退避させた後、搬送ローラ７に媒体６をクランプさせるまで、ネジローラ１を回転させて媒体６を搬送する。
【００２２】
次に、図３に示すように、本実施例では、上述したように、ネジローラ１は切断面１ａを有することにより、ネジローラ１の一部を搬送ガイド８の搬送面より突出しない形状にしている。従って、媒体６の排出を行う際、ネジローラ１の引っかかりを防止するために、ネジローラ１を回転して突出しない位置で、すなわち切断面１ａで停止させることができる。
【００２３】
【発明の効果】
本発明のスキュー補正機構では、スキュー補正および媒体の搬送をローラにより行うことにより、搬送ローラの軸と平行にネジローラぼ軸を配置することが可能になり、簡素な機構で回転駆動力の伝達が容易になるという効果を奏する。
【００２４】
また、ネジローラの形状の一部を搬送路に突出しない形状にすることで、媒体をセットする時および媒体を排出する時に、ネジローラが、スキュー補正動作と同じ回転駆動を行って搬送路から退避することが可能になり、特別な機構を必要としない。従って、装置の小型化，低コスト化が実現できるという効果を奏する。
【図面の簡単な説明】
【図１】本発明のネジローラによるスキュー補正機構の実施例を示す上面図である。
【図２】本発明の実施例の動作を示す側面図である。
【図３】本発明の実施例の動作を示す側面図である。
【符号の説明】
１  ネジローラ
１ａ  切断面
２  スキュー媒体
３  側面ガイド
４  ストッパ
５  センサ
６  媒体
７  搬送ローラ
８  搬送ガイド
９  従動ローラ
【図１】
0003616489.tif 000002
【図２】
0003616489.tif 000003
【図３】
0003616489.tif 000004